(57)【要約】【課題】複数の投影装置を用いて投影を行う投影システムにおいて、ユーザが端末装置を動作させて投影装置を制御する際の操作性を向上させる。【解決手段】ポインタの先端面をいずれかのスクリーンに向けると、フリッカーが検出される。したがって、ステップＳ２０２からステップＳ２０３に処理を進めフリッカーを解析することにより、その周波数を検出し、検出した周波数から、ＰＣ、ＰＪ名を特定する（ステップＳ２０４）。ステップＳ２０４の処理で特定されたプロジェクタＰＪが接続されているパソコンＰＣに、所望の動作及びＰＪ名（特定されたプロジェクタＰＪの名称）を送信する（ステップＳ２０５）。所望の動作とは、説明者がポインタに設けられているボタンを操作することにより指定した動き例えば、現在投影表示している画像から他の画像に切り替える等である。【選択図】図７
2015060574.tif 000002
【特許請求の範囲】
【請求項１】
複数の表示装置と、これら複数の表示装置に対応する複数の端末装置、及び操作手段を有する操作装置とからなる表示システムであって、
前記操作装置は、
前記表示装置による表示に基づき、当該表示装置と対応する端末装置を特定する特定手段と、
この特定手段により特定された端末装置に前記操作手段の操作に応じた要求信号を送信する送信手段とを備え、
前記端末装置は、
前記操作装置の送信手段から送信される要求信号を受信する受信手段と、
この受信手段により受信した要求信号に応じて前記対応する表示装置を制御する制御手段とを備えることを特徴とする表示システム。
【請求項２】
前記操作装置は、いずれかの表示装置と端末装置とを予め対応付ける対応付け手段を備えることを特徴とする請求項１記載の表示システム。
【請求項３】
前記対応付け手段は、前記端末装置からの要求に応じていずれかの表示装置を対応付けることを特徴とする請求項２記載の表示システム。
【請求項４】
前記対応付け手段は、前記端末装置と表示装置とを対応付けて記憶する記憶手段であることを特徴とする請求項２又は３記載の表示システム。
【請求項５】
前記表示装置は、各々異なる周波数で発光し画像を表示する光源を備え、
前記操作装置は、前記表示装置により表示された画像に基づき前記光源の周波数を検出する検出手段を備え、
前記特定手段は、前記検出手段により検出された前記光源の周波数に基づき、前記表示装置に対応する端末装置を特定することを特徴とする請求項１から４にいずれか記載の表示システム。
【請求項６】
前記検出手段は、前記表示装置により画像が表示される表示面上におけるフリッカーにより前記周波数を検出することを特徴とする請求項５記載の表示システム。
【請求項７】
前記検出手段は、前記表示面を撮像する撮像手段であることを特徴とする請求項６記載の表示システム。
【請求項８】
前記端末装置の制御手段は、前記対応する表示装置が備える光源が動作する周波数を設定する設定手段を備えることを特徴とする請求項５、６又は７記載の表示システム。
【請求項９】
前記端末装置は、画像を表示する画面を備え
前記表示装置は、対応する端末装置から前記画面に表示される画像を取得して所定の表示面上に表示することを特徴とする請求項１から８にいずれか記載の表示システム。
【請求項１０】
複数の表示装置と、これら複数の表示装置に対応する複数の端末装置、及び操作装置とからなり、前記端末装置は、前記操作装置の送信手段から送信される要求信号を受信する受信手段と、この受信手段により受信した要求信号に応じて前記対応する表示装置を制御する制御手段とを備える表示システムにおける前記操作装置であって、
操作手段と、
前記表示装置による表示に基づき、当該表示装置と対応する端末装置を特定する特定手段と、
この特定手段により特定された端末装置に前記操作手段の操作に応じた要求信号を送信する送信手段と、
を備えることを特徴とする操作装置。
【請求項１１】
いずれかの表示装置と端末装置とを予め対応付ける対応付け手段を備えることを特徴とする請求項１０記載の操作装置。
【請求項１２】
前記対応付け手段は、前記端末装置からの要求に応じていずれかの表示装置を対応付けることを特徴とする請求項１１記載の操作装置。
【請求項１３】
前記対応付け手段は、前記端末装置と表示装置とを対応付けて記憶する記憶手段であることを特徴とする請求項１１又は１２記載の操作装置。
【請求項１４】
前記表示装置は、各々異なる周波数で発光し画像を表示する光源を備え、
前記操作装置は、前記表示装置により表示された画像に基づき前記光源の周波数を検出する検出手段を備え、
前記特定手段は、前記検出手段により検出された前記光源の周波数に基づき、前記表示装置に対応する端末装置を特定することを特徴とする請求項１０から１３にいずれか記載の操作装置。
【請求項１５】
前記検出手段は、前記表示装置により画像が表示される表示面上におけるフリッカーにより前記周波数を検出することを特徴とする請求項１４記載の操作装置。
【請求項１６】
前記検出手段は、前記表示面を撮像する撮像手段であることを特徴とする請求項１５記載の操作装置。
【発明の詳細な説明】
【技術分野】
【０００１】
本発明は、投影システム及びこの投影システムに用いられプレゼンテーション等を行う説明者により操作される操作装置に関する。
【背景技術】
【０００２】
従来、プロジェクタとパソコンとを無線接続した投影システムが提案されるに至っている（例えば下記特許文献１参照。）。このシステムを用いることにより、パソコンの液晶画面に表示されている画像をプロジェクタによりスクリーン上に投影することが可能となる。したがって、説明者はパソコンでの操作により、スクリーン上の投影画像を切り換え変化させながら、プレゼンテーションを行うことができる。
【０００３】
また、レーザーポインタを用い、レーザーのスポット光からなるレーザーカーソルを前記スクリーン上に表示させてプレゼンテーションを行うことも行われている（例えば下記特許文献２参照）。更に、今日においては会場に複数のスクリーンを配置するとともに、各スクリーン毎にプロジェクタとパソコンとを配置し、各スクリーン毎に異なる画像を投影しながら、説明を行うプレゼンテーションも行われている。このようなプレゼンテーション形式によれば、複数のスクリーンに投影された画像によるコンテンツを比較しながら、プレゼンテーションを進行することができる。
【先行技術文献】
【特許文献】
【０００４】
【特許文献１】特開２０００−２２２１６３号公報
【特許文献２】特開２００１−１２５７３８号公報
【発明の概要】
【発明が解決しようとする課題】
【０００５】
プロジェクタを用い、異なる画像を投影表示してプレゼンテーションを行う場合、投影する画像を順次切り替えながら説明を行うことになる。したがって、説明者は切り替える画像を表示しているプロジェクタに対応するパソコンが置かれている箇所に移動し、当該パソコンを操作し、液晶画面に表示されている画像を切り替える操作を行う必要がある。
【０００６】
よって、画像切替時に生ずる説明者の移動に伴うタイムラグ及び説明者の移動が説明を受ける視聴者の視覚に入ることに起因して、プレゼンテーションの円滑な進行や説明が妨げられてしまう。また、前記画像切替時に限らずパソコンを動作させてプロジェクタを制御する際には、説明者がパソコンが置かれている箇所に移動して当該パソコンを操作しなければならず、同様の問題が生ずる。
【０００７】
本発明は、かかる従来の課題に鑑みてなされたものであり、複数の投影装置を用いて投影を行う投影システムにおいて、ユーザが端末装置を動作させて投影装置を制御する際の操作性を向上させる投影システム及び操作装置を提供することを目的とする。
【課題を解決するための手段】
【０００８】
前記課題を解決するため発明に係る投影システムは、複数の表示装置と、これら複数の表示装置に対応する複数の端末装置、及び操作手段を有する操作装置とからなる表示システムであって、前記操作装置は、前記表示装置による表示に基づき、当該表示装置と対応する端末装置を特定する特定手段と、この特定手段により特定された端末装置に前記操作手段の操作に応じた要求信号を送信する送信手段とを備え、前記端末装置は、前記操作装置の送信手段から送信される要求信号を受信する受信手段と、この受信手段により受信した要求信号に応じて前記対応する表示装置を制御する制御手段とを備えることを特徴とする。
【０００９】
また、本発明に係る操作装置は、複数の表示装置と、これら複数の表示装置に対応する複数の端末装置、及び操作装置とからなり、前記端末装置は、前記操作装置の送信手段から送信される要求信号を受信する受信手段と、この受信手段により受信した要求信号に応じて前記対応する表示装置を制御する制御手段とを備える表示システムにおける前記操作装置であって、操作手段と、前記表示装置による表示に基づき、当該表示装置と対応する端末装置を特定する特定手段と、この特定手段により特定された端末装置に前記操作手段の操作に応じた要求信号を送信する送信手段とを備えることを特徴とする。
【発明の効果】
【００１０】
本発明によれば、複数の端末装置を選択的に動作させて対応する投影装置を制御しつつ投影を行う投影システムにおいて、ユーザが所望の投影装置を制御する際の操作性を向上させることができる。
【図面の簡単な説明】
【００１１】
【図１】本発明の一実施の形態に係るプレゼンテーションシステムの全体構成を示すブロック図である。
【図２】プロジェクタの回路構成を示すブロック図である。
【図３】パソコンの回路構成を示すブロック図である。
【図４】ポインタの外観構成を示すブロック図である。
【図５】ポインタの回路構成を示すブロック図である。
【図６】ポインタ、パソコン、プロジェクタ各機器動作を示す一連のゼネラルフローチャートである。
【図７】ポインタの処理手順を示すフローチャートである。
【図８】パソコンの処理手順を示すフローチャートである。
【発明を実施するための形態】
【００１２】
以下、本発明の一実施の形態を図に従って説明する。図１は、本発明の一実施の形態に係るプレゼンテーションシステムの全体構成を示すブロック図である。このプレゼンテーションシステムは、会場内に配置された複数のプロジェクタＰＪＡ、ＰＪＢ、ＰＪＣ、ＰＪＣ（なお、これら複数のプロジェクタを総称する場合プロジェクタＰＪと表記する）、これら各プロジェクタＰＪに各々ＵＳＢケーブル１００を介して接続された複数のパソコンＰＣＡ、ＰＣＢ、ＰＣＣ（なお、これら複数のパソコンを総称する場合パソコンＰＣと表記する）、及びこれら複数のパソコンＰＣに、例えばブルーツゥース（Bluetooth：登録商標）のような近接無線で接続された単一のポインタＰＴで構成されている。なお、パソコンＰＣＡとＰＣＢは、対応する１台のプロジェクタＰＪＡ、ＰＪＢに接続されているが、パソコンＰＣＣは２台のプロジェクタＰＪＣとＰＪＤに接続されている。また、各プロジェクタＰＪの前方には、各々対応するスクリーンＳＡ〜ＳＣが配置されてい
【００１３】
図２は、プロジェクタＰＪの回路構成を示すブロック図である。このプロジェクタＰＪは、制御部１１、入出力インターフェイス１２、画像変換部１３、表示エンコーダ１４、表示駆動部１５等を有するものである。入出力コネクタ部１６から入力された各種規格の画像信号は、入出力インターフェイス１２、システムバス１７を介して、画像変換部１３で表示に適した所定フォーマットの画像信号に統一するように変換された後、表示エンコーダ１４に送られる。
【００１４】
また、入出力コネクタ部１６には、前記ＵＳＢケーブル１００を介してパソコンＰＣが接続されている。入出力コネクタ部１６及び入出力インターフェイス１２を介して入力されたパソコンＰＣからの所定規格の画像信号も、システムバス１７を介して、画像変換部１３で表示に適した所定フォーマットの画像信号に統一するように変換された後、表示エンコーダ１４に送られる。
【００１５】
表示エンコーダ１４は、送られてきた画像信号をビデオＲＡＭ１８に展開記憶させた上で、このビデオＲＡＭ１８の記憶内容からビデオ信号を生成して表示駆動部１５に出力するものである。
【００１６】
表示エンコーダ１４からビデオ信号が入力される表示駆動部１５は、送られてきた画像信号に対応して適宜フレームレートで空間的光変調素子（ＳＯＭ）である表示素子１９を駆動する。そして、本実施の形態において光源装置として用いている水銀ランプ２０から射出された光線束を光源側光学系を介して表示素子１９に入射することにより、表示素子１９の反射光で光像を形成し、投影側光学系とする可動レンズ群２１を介してスクリーンＳＡ〜ＳＤに画像を投影表示する。この投影側光学系の可動レンズ群２１は、レンズモータ２２によりズーム調整やフォーカス調整のための駆動が行われる。
【００１７】
画像圧縮／伸張部２３は、画像信号における輝度信号及び色差信号をＡＤＴＣ及びハフマン符号化等の処理により、データ圧縮して着脱自在な記録媒体であるメモリカード２４に書き込む記録処理や、メモリカード２４に記録された画像データを読み出し、一連の動画を構成する個々の画像データを１フレーム単位で伸張して画像変換部１３を介して表示エンコーダ１４に送り、メモリカード２４に記憶された画像データに基づいて動画等の表示を可能にするものである。
【００１８】
制御部１１は、プロジェクタＰＪ内における各回路の動作を制御するものであって、ＣＰＵ（Central Processing Unit）及びその周辺回路、ＲＯＭ（Read Only Memory）１１１、ＲＡＭ（ Random Access Memory ）１１２等で構成されている。ＲＯＭ１１１には、ＣＰＵや各種セッティング等のプログラムやデータ等が予め記憶されており、ＲＡＭ１１２は、ワークメモリ等として使用される。キー／インジケータ部２５は、本体ケース等に設けられているメインキー及びインジケータ等により構成され、その操作信号は制御部１１に送出される。
【００１９】
なお、制御部１１には、システムバス１７を介して音声処理部３０が接続されており、音声処理部３０はＰＣＭ音源等の音源回路を備え、投影モード及び再生モード時には、音声データをアナログ化し、スピーカ３１を駆動して拡声放音させることができる。また、制御部１１は、光源周波数設定回路３２に周波数を設定することにより、水銀ランプ２０を対応するパソコンＰＣから指示された交流周波数で動作させる。したがって、各プロジェクタＰＪの水銀ランプ２０は光源周波数設定回路３２によって設定された任意の相互に異なる発光周波数で発光動作することができる。
【００２０】
図３は、パソコンＰＣの構成を示すブロック図である。図示のように、このパソコンＰＣは、バス５１を介して互いに接続された制御部５２、ＨＤＤ（Hard Disk）５３、ＲＡＭ５４、サウンド処理部５５、グラフィック処理部５６、ＤＶＤ／ＣＤ−ＲＯＭドライブ５７、無線通信処理部５８、及びインターフェイス部５９を備えている。
【００２１】
制御部５２は、ＣＰＵ、ＲＯＭ等で構成され、ＲＯＭに記憶されているブートプログラムやＯＳ（Operating System）等の基本プログラムに基づき、ＲＡＭ５４に記憶されたプログラムを順次実行して、各種処理等を行うとともに、パソコンＰＣ本体内の各部の動作を制御する。
【００２２】
ＲＡＭ５４は、メインメモリとして使用されるもので、ＤＶＤ／ＣＤ−ＲＯＭから転送された、プログラムやデータを記憶する。ＲＡＭ５４は、また、プログラム実行時におけるワークエリアとしても使用される。サウンド処理部５５は、制御部５２からの指示に従って、サウンドデータを再生するための処理を行い、音声信号として出力するとともに、この音声信号を再生するスピーカを含む。
【００２３】
グラフィック処理部５６は、制御部５２からの指示に従って各種画像データを生成し、また、生成した画像データに所定の同期信号を付加して、ビデオ信号として表示部６１に出力する。ＤＶＤ／ＣＤ−ＲＯＭドライブ５７は、制御部５２からの指示に従って、パソコンＰＣにセットされたＤＶＤ／ＣＤ−ＲＯＭを駆動し、ＤＶＤ／ＣＤ−ＲＯＭに格納されているプログラムやデータを、バス５１を介してＲＡＭ５４に転送する。
【００２４】
無線通信処理部５８には、無線通信部６４が接続されている。そして、前記ポインタＰＴからの無線信号は無線通信部６４で受信され、無線通信処理部５８で復調されて制御部５２に送られる。また、プロジェクタＰＪへの画像信号や制御信号等の各入力信号は、制御部５２からバス５１を介してインターフェイス部５９に送られ、で必要に応じて変調され、入出力コネクタ部６５及び前記ＵＳＢケーブル１００を介してプロジェクタＰＪに送られる。また、プロジェクタＰＪからの応答信号等は、ＵＳＢケーブル１００、入出力コネクタ部６５、インターフェイス部５９、バス５１を介して制御部５２に供給される。
【００２５】
さらに、インターフェイス部５９には、キーボード６２が接続される。このインターフェイス部５９では、キーボード６２と制御部５２やＲＡＭ５４との間のデータの授受をも制御する。ＨＤＤ５３は、各種プログラムや各種データを格納している。表示部６１は、グラフィック処理部５６からのビデオ信号に対応する画像を表示する液晶パネル等からなる表示画面を備えている。
【００２６】
したがって、制御部５２は、表示部６１に表示させたグラフィック処理部５６からのビデオ信号を処理し、インターフェイス部５９及び入出力コネクタ部６５を介してプロジェクタＰＪに画像信号を送信することができる。よって、プロジェクタＰＪが、パソコンＰＣから送信される画像信号を入出力コネクタ部６５から入力させて、前述のように各部により処理を行うことにより、パソコンＰＣの表示部６１に表示されている画像と同一の画像をスクリーンＳＡ〜ＳＤに投影することができる。
【００２７】
図４は、ポインタＰＴの外部形状を示す平面図である。このポインタＰＴは、リモコンパネルと同様に人の手により握持可能な長尺形状からなるハウジング８１を有している。ハウジング８１の上面には複数のボタン８２の上端部が突出しており、先端面９５にはＡＦ機能を備えた撮像レンズ８３とレーザーダイオード８４とが併設されている。したがって、これら撮像レンズ８３により撮像される方向である撮像方向とレーザーダイオード８４から照射されるレーザーの方向である照射方向とは同一である。
【００２８】
図５は、ポインタＰＴの回路構成を示すブロック図である。図示のようにポインタＰＴは、制御部８５、操作情報入力部８６、撮像部８７、コネクションリスト記憶部８８等を有する。操作情報入力部８６からは、ボタン８２の操作に関連するする全ての情報がバスライン８９介して制御部８５に供給される。撮像部８７は、前記撮像レンズ８３の光軸上に配置されて被写体像が結像されるＣＣＤ、ＣＣＤから出力された信号を処理するＡ／ＤコンバータやＤＳＰ等を有し、撮像信号（画像信号）を処理して制御部８５に供給する。
【００２９】
コネクションリスト記憶部８８は、コネクションリストを記憶するメモリであり、コネクションリストには記憶時に使用されていないチャンネル（水銀ランプ２０に設定する周波数）と、設定されるプロジェクタを示すＰＪ名（ＰＪＡ〜ＰＪＤのいずれか）と、これらＰＪＡ〜ＰＪＤがＵＳＢケーブル１００で接続されているパソコンを示すＰＣ名（ＰＣＡ〜ＰＣＤのいずれか）とが関連付けられて記憶される。したがって、このコネクションリスト記憶部８８の記憶内容を参照することにより、水銀ランプ２０の周波数に対応するＰＣ名及びＰＪ名を特定することができる。
【００３０】
なお、撮像部８７が有するＣＣＤは、プロジェクタＰＪの水銀ランプ２０から射出される光線束により投影される画像をフリッカーとして検出できるフレームレート（サンプリング周波数）で動作するものである。
【００３１】
制御部８５は、ポインタＰＴ内における各回路の動作を制御するものであって、ＣＰＵ及びその周辺回路、ＲＯＭ８５１、ＲＡＭ８５２等で構成されている。ＲＯＭ８５１には後述するフローチャートにより示すプログラムやデータ等が予め記憶されており、ＲＡＭ８５２は、ワークメモリ等として使用される。
【００３２】
図６は、ポインタＰＴ、パソコンＰＣ、プロジェクタＰＪ各機器動作を示す一連のゼネラルフローチャートである。なお、各ステップ内に当該ステップ内容を実行する機器の名称（ポインタＰＴ、パソコンＰＣ、プロジェクタＰＪ）を記載することにより、動作する機器の明確化を図っている。
【００３３】
すなわち、ポインタＰＴの制御部８５は、無線通信処理部９２を介して無線通信部９３から取り込まれる情報を常時チェックし、いずれかのパソコンＰＣから接続要求があったか否かを判断する（ステップＳ１０１）。いずれかのパソコンＰＣから接続要求があったならば、使用したいプロジェクタ（接続するプロジェクタ）の名称であるＰＪ名を当該接続要求があったパソコンＰＣに要求を送信する（ステップＳ１０２）。
【００３４】
すると、この要求を受信したパソコンＰＣは、使用したいプロジェクタの名称ＰＪ名と台数をポインタＰＴ側に送信する（ステップＳ１０３）。したがって、図１に示すように、パソコンＰＣＣがプロジェクタＰＪＣとＰＪＤの２台を使用したいとする場合には、パソコンＰＣＣは、ポインタＰＴにＰＪ名として「ＰＪＣ」と「ＰＪＤ」とを送信するとともに、使用台数として「２台」を送信することなる。
【００３５】
すると、これを受信したポインタＰＴは、次のステップＳ１０４で以下の（１）（２）（３）の処理を実行する。
（１）この時点でコネクションリスト記憶部８８のコネクションリストに未だ記憶されていないチャンネル（水銀ランプ２０に設定する周波数）を指定する。
（２）この指定した周波数と、これが設定されるプロジェクタを示すＰＪ名（ＰＪＡ〜ＰＪＤのいずれか）と、これらＰＪＡ〜ＰＪＤを制御するパソコンのを示すＰＣ名（ＰＣＡ〜ＰＣＤのいずれか）とをコネクションリストに記憶する。
（３）コネクションリストに記憶したパソコンＰＣに、前記指定した周波数と、プロジェクタを示すＰＪ名を送信する。
【００３６】
これを受信したパソコンＰＣ（接続要求を行った行ったパソコンＰＣ）は、指定された周波数をＵＳＢケーブル１００を介して対応するプロジェクタＰＪに入力する。そして、当該プロジェクタＰＪの制御部１１を動作させて、光源周波数設定回路３２を駆動し、水銀ランプ２０を動作させる交流周波数を設定する。すると、プロジェクタＰＪの水銀ランプ２０は光源周波数設定回路３２によって設定された任意の相互に異なる発光周波数で発光動作する。
【００３７】
このように説明者は、例えば全てのパソコンＰＣ及びプロジェクタＰＪを以上のような能動的な状態にし、対応する全てのスクリーンＳＡ〜ＳＤに最初の説明に使用する初期画面を投影させておく。つまり、パソコンＰＣのＨＤＤ５３に予め記憶させてある資料の初期画面を表示部６１に表示させる。すると、このパソコンＰＣの表示部６１に初期画面を表示させた画像データがＵＳＢケーブル１００を介してプロジェクタＰＪに送信される。プロジェクタＰＪはこのデータを受信し、システムバス１７を介して、画像変換部１３で表示に適した所定フォーマットの画像信号に統一するように変換される。表示エンコーダ１４は、送られてきた画像信号をビデオＲＡＭ１８に展開記憶させた上で、このビデオＲＡＭ１８の記憶内容からビデオ信号を生成して表示駆動部１５に出力し、表示駆動部１５、表示素子１９が前述のように動作する。これにより、スクリーンＳＡ〜ＳＤにはパソコンＰＣの表示部６１に表示されている画像と同一の画像が表示される。
【００３８】
このとき、前述のステップＳ１０４の処理が実行されているので、図１に示すように
、プロジェクタＰＪＡは周波数Ａ、プロジェクタＰＪＢは周波数Ｂ、プロジェクタＰＪＣは周波数Ｃ、プロジェクタＰＪＤは周波数Ｄというように、各プロジェクタＰＪは異なる周波数で投影を行う。
【００３９】
図７は、ポインタＰＴの処理手順を示すフローチャートである。ポインタＰＴの制御部８５は、操作情報入力部８６の状態を常時監視し、ボタン８２の操作による終了指示があったか否かを判断する（ステップＳ２０１）。ボタン８２の操作による終了指示があるまで、ステップＳ２０２〜Ｓ２０６の処理を繰り返す。
【００４０】
先ず、フリッカーが検出されたか否かを判断する（ステップＳ２０２）。このとき、説明者がポインタＰＴの先端面９５を画像が投影されているいずれかのスクリーンＳＡ〜ＳＤに向けると、レーザーダイオード８４からのレーザー光によるカーソルが当該スクリーン上に表示される。したがって、説明者は握持しているポインタＰＴの向きを変化させ、クリーン上でカーソルの位置を変化させながら、プレゼンテーションを円滑に進行することができる。
【００４１】
また、このようにポインタＰＴの先端面９５をいずれかのスクリーンＳＡ〜ＳＤに向けると、撮像レンズ８３を有する撮像部８７による撮像により、当該スクリーン上で生じているフリッカーが検出される。したがって、制御部８５はステップＳ２０２でＹＥＳと判断し、ステップＳ２０２からステップＳ２０３に処理を進める。そして、撮像部８７での撮像により検出されたフリッカーを解析することにより、その周波数を検出する。
【００４２】
しかる後に、前述のようにコネクションリスト記憶部８８のコネクションリストには周波数と、対応するプロジェクタを示すＰＪ名及びパソコンを示すＰＣ名が関連付けられて記憶されているので、検出した周波数から、ＰＣ、ＰＪ名を特定する（ステップＳ２０４）。引き続き、このステップＳ２０４の処理で特定されたプロジェクタＰＪが接続されているパソコンＰＣに、所望の動作及びＰＪ名（特定されたプロジェクタＰＪの名称）を送信する（ステップＳ２０５）。ここで、所望の動作とは、説明者が希望するプロジェクタＰＪの動きであり、説明者がポインタＰＴに設けられているボタン８２を操作することにより指定した動きである。例えば、現在投影表示している画像から他の画像に切り替える、画像の明るさや大きさを調整する等である。
【００４３】
次に、ポインタＰＴの制御部８５、検出している周波数に変化があったか否かを判断し（ステップＳ２０６）、変化が生ずるまでステップＳ２０５の処理を繰り返す。このとき、説明者がポインタＰＴの向きを変化させて先端面９５を他のスクリーンに向け、当該スクリーン上にカーソルを表示して説明を行おうとすると、撮像部８７が検出しているフリッカーの周波数が変化する。すると、制御部８５は検出しているフリッカーの周波数が変化する都度、ステップＳ２０６からステップＳ２０１に戻り、ステップＳ２０１からの処理を再開する。
【００４４】
図８は、パソコンＰＣの処理手順を示すフローチャートである。パソコンＰＣの制御部５２は、キーボード６２の状態を常時監視し、キー操作による終了指示あったか否かを判断する（ステップＳ３０１）。キー操作による終了指示があるまで、ステップＳ３０１〜Ｓ３０３の処理を繰り返す。
【００４５】
先ず、ポインタＰＴからの動作要求があるか否かを判断する（ステップＳ３０２）。このとき、ポインタＰＴからこのパソコンＰＣに、前記ステップＳ２０５の処理で特定したプロジェクタＰＪに対する所望の動作及びＰＪ名が送信された場合はステップＳ３０２での制御部５２の判断はＹＥＳとなる。したがって、パソコンＰＣの制御部５２は、指定されたプロジェクタＰＪに指定の動作を施して、当該指定されたプロジェクタＰＪが指定の動作を実行するように制御する（ステップＳ３０３）。
【００４６】
すると、パソコンＰＣからの制御信号がＵＳＢケーブル１００を介して、プロジェクタＰＪに入力されプロジェクタＰＪの制御部１１は入力された信号と、ＲＯＭ１１１に記憶されているプログラムとに基づいて指定された動作を実行する。
【００４７】
したがって、図１に示すように、複数のプロジェクタＰＴとパソコンＰＣとを用い、異なる画像をスクリーンＳＡ〜ＳＤ投影表示してプレゼンテーションを行った場合であっても、説明者はポインタＰＴを操作することにより、プロジェクタＰＪの投影画像を切り換えながら、説明を進行させることができる。よって、説明者は、プレゼンテーションの進行に伴っていずれかの画像を切り替える必要が生ずる場合、切り替える画像を表示しているプロジェクタに対応するパソコンが置かれている箇所に移動して当該パソコンを操作したり、液晶画面に表示されている画像を切り替える操作を行う必要はなく、移動をせずにスクリーンが異なる複数の投影画像を切り換え表示させることができる。
【００４８】
したがって、画像切替時に生ずる説明者の移動に伴うタイムラグ及び説明者の移動が説明を受ける視聴者の視覚に入ることに起因して、プレゼンテーションの円滑な進行や説明が妨げられてしまうことがない。また、前記画像切替時に限らずパソコンを動作させてプロジェクタを制御する際には、説明者がパソコンが置かれている箇所に移動して当該パソコンを操作する必要もない。
【００４９】
このため、説明の複雑化に伴って複数のパソコン、プロジェクタ、スクリーンを用いて多面的な説明を伴うプレゼンテーションを行う必要があっても、多面的な説明を伴うプレゼンテーション円滑に推進することが可能となる。
また。本実施の形態においては、撮像部８７により撮像によりフリッカーを検出するようにしたことから、撮像という簡単な処理内容で複数種のフリッカーを確実に検出することができる。
【００５０】
なお、実施の形態においては、プロジェクタＰＪにより画像が投影されるスクリーン上におけるフリッカーにより周波数を検出して、プロジェクタＰＪを特定するようにした。しかしこれに限らず、例えば角度センサを用いてポインタＰＴがいずれかのスクリーンＳＡ〜ＳＤ方向を向いているか否かにより、動作させるパソコンＰＣ及びプロジェクタＰＪを特定するようにしてもよい。
【００５１】
また、実施の形態においては、プロジェクタＰＪの光源を水銀ランプ２０として記載したが、発光周波数を任意に変更できるものであれば水銀ランプに限らず、例えばＬＥＤやＬＤなどの半導体光源を使用しても良い。
【００５２】
以上、本発明の実施形態について説明したが、これらは本発明の作用効果が得られる範
囲内であれば適宜変更が可能であり、変更後の実施形態も特許請求の範囲に記載された発明、及びその発明と均等の発明の範囲に含まれる。
以下に、本出願の当初の特許請求の範囲に記載された発明を付記する。
【００５３】
［請求項１］
複数の表示装置と、これら複数の表示装置に対応する複数の端末装置、及び操作手段を有する操作装置とからなる表示システムであって、
前記操作装置は、
前記表示装置による表示に基づき、当該表示装置と対応する端末装置を特定する特定手段と、
この特定手段により特定された端末装置に前記操作手段の操作に応じた要求信号を送信する送信手段とを備え、
前記端末装置は、
前記操作装置の送信手段から送信される要求信号を受信する受信手段と、
この受信手段により受信した要求信号に応じて前記対応する表示装置を制御する制御手段とを備えることを特徴とする表示システム。
【００５４】
［請求項２］
前記操作装置は、いずれかの表示装置と端末装置とを予め対応付ける対応付け手段を備えることを特徴とする請求項１記載の表示システム。
【００５５】
［請求項３］
前記対応付け手段は、前記端末装置からの要求に応じていずれかの表示装置を対応付けることを特徴とする請求項２記載の表示システム。
【００５６】
［請求項４］
前記対応付け手段は、前記端末装置と表示装置とを対応付けて記憶する記憶手段であることを特徴とする請求項２又は３記載の表示システム。
【００５７】
［請求項５］
前記表示装置は、各々異なる周波数で発光し画像を表示する光源を備え、
前記操作装置は、前記表示装置により表示された画像に基づき前記光源の周波数を検出する検出手段を備え、
前記特定手段は、前記検出手段により検出された前記光源の周波数に基づき、前記表示装置に対応する端末装置を特定することを特徴とする請求項１から４にいずれか記載の表示システム。
【００５８】
［請求項６］
前記検出手段は、前記表示装置により画像が表示される表示面上におけるフリッカーにより前記周波数を検出することを特徴とする請求項５記載の表示システム。
【００５９】
［請求項７］
前記検出手段は、前記表示面を撮像する撮像手段であることを特徴とする請求項６記載の表示システム。
【００６０】
［請求項８］
前記端末装置の制御手段は、前記対応する表示装置が備える光源が動作する周波数を設定する設定手段を備えることを特徴とする請求項５、６又は７記載の表示システム。
【００６１】
［請求項９］
前記端末装置は、画像を表示する画面を備え
前記表示装置は、対応する端末装置から前記画面に表示される画像を取得して所定の表示面上に表示することを特徴とする請求項１から８にいずれか記載の表示システム。
【００６２】
［請求項１０］
複数の表示装置と、これら複数の表示装置に対応する複数の端末装置、及び操作装置とからなり、前記端末装置は、前記操作装置の送信手段から送信される要求信号を受信する受信手段と、この受信手段により受信した要求信号に応じて前記対応する表示装置を制御する制御手段とを備える表示システムにおける前記操作装置であって、
操作手段と、
前記表示装置による表示に基づき、当該表示装置と対応する端末装置を特定する特定手段と、
この特定手段により特定された端末装置に前記操作手段の操作に応じた要求信号を送信する送信手段と、
を備えることを特徴とする操作装置。
【００６３】
［請求項１１］
いずれかの表示装置と端末装置とを予め対応付ける対応付け手段を備えることを特徴とする請求項１０記載の操作装置。
【００６４】
［請求項１２］
前記対応付け手段は、前記端末装置からの要求に応じていずれかの表示装置を対応付けることを特徴とする請求項１１記載の操作装置。
【００６５】
［請求項１３］
前記対応付け手段は、前記端末装置と表示装置とを対応付けて記憶する記憶手段であることを特徴とする請求項１１又は１２記載の操作装置。
【００６６】
［請求項１４］
前記表示装置は、各々異なる周波数で発光し画像を表示する光源を備え、
前記操作装置は、前記表示装置により表示された画像に基づき前記光源の周波数を検出する検出手段を備え、
前記特定手段は、前記検出手段により検出された前記光源の周波数に基づき、前記表示装置に対応する端末装置を特定することを特徴とする請求項１０から１３にいずれか記載の操作装置。
【００６７】
［請求項１５］
前記検出手段は、前記表示装置により画像が表示される表示面上におけるフリッカーにより前記周波数を検出することを特徴とする請求項１４記載の操作装置。
【００６８】
［請求項１６］
前記検出手段は、前記表示面を撮像する撮像手段であることを特徴とする請求項１５記載の操作装置。
【符号の説明】
【００６９】
１１    制御部
１２    入出力インターフェイス
１３    画像変換部
１４    表示エンコーダ
１５    表示駆動部
１６    入出力コネクタ部
１７    システムバス
１８    ビデオＲＡＭ
１９    表示素子
２０    水銀ランプ
３２    光源周波数設定回路
５８    無線通信処理部
５９    インターフェイス部
６１    表示部
６２    キーボード
６４    無線通信部
６５    入出力コネクタ部
６５    入出力コネクタ部
８１    ハウジング
８２    ボタン
８３    撮像レンズ
８４    レーザーダイオード
８５    制御部
８６    操作情報入力部
８７    撮像部
８８    コネクションリスト記憶部
９２    無線通信処理部
９３    無線通信部
９５    先端面
１００    ＵＳＢケーブル
【図１】
2015060574.tif 000003
【図２】
2015060574.tif 000004
【図３】
2015060574.tif 000005
【図４】
2015060574.tif 000006
【図５】
2015060574.tif 000007
【図６】
2015060574.tif 000008
【図７】
2015060574.tif 000009
【図８】
2015060574.tif 000010